(57)【要約】【課題】物品の表面に仕上シートを確実に貼り付けることができる仕上シートの貼り付け方法およびシート式仕上構造を提供すること。【解決手段】仕上シートの貼り付け方法は、間仕切壁１の既設の仕上シート７の表面に、保持シート１１と新規の仕上シート１２とを積層し、保持シート１１は、その裏面に既設の仕上シート７に接着するための接着材を保持する。したがって、既設の仕上シート７が表面が円滑となるような材料で形成されている場合でも、保持シート１１によって、既設の仕上シート７の表面全体に亘って接着材が均一に塗布された状態を保持できるので、接着材がその表裏面を伝って流れ落ちるおそれがなく、間仕切壁１の既設の仕上シート７の表面に新規の仕上シート１２を確実に貼り付けることができる。【選択図】　　　　　　図１
2004137708.tif 000002
【特許請求の範囲】
【請求項１】
物品の表面に設けられる仕上シートの貼り付け方法であって、
物品の表面に、保持シートと仕上シートとを積層し、
前記保持シートは、その裏面に前記物品に接着するための接着剤を保持することを特徴とする仕上シートの貼り付け方法。
【請求項２】
請求項１に記載の仕上シートの貼り付け方法において、前記物品の表面に前記保持シートを貼り付け、この保持シートの表面に前記仕上シートを貼り付けることを特徴とする仕上シートの貼り付け方法。
【請求項３】
請求項１または２に記載の仕上シートの貼り付け方法において、前記保持シート裏面に接着剤を塗布して前記物品の表面に貼り付け、前記仕上シート裏面に接着剤を塗布して前記保持シートの表面に貼り付けることを特徴とする仕上シートの貼り付け方法。
【請求項４】
請求項１から３のいずれかに記載の仕上シートの貼り付け方法において、前記保持シートは、不透明であることを特徴とする仕上シートの貼り付け方法。
【請求項５】
請求項１から４のいずれかに記載の仕上シートの貼り付け方法において、前記保持シートは、紙製であることを特徴とする仕上シートの貼り付け方法。
【請求項６】
請求項１から５に記載の仕上シートの貼り付け方法において、前記保持シートには、予め室内散布用薬剤が含浸されていることを特徴とする仕上シートの貼り付け方法。
【請求項７】
請求項６に記載の仕上シートの貼り付け方法において、前記室内散布用薬剤は、ＶＯＣ吸着剤、芳香剤および防かび剤のいずれかであることを特徴とする仕上シートの貼り付け方法。
【請求項８】
物品の表面に設けられたシート式仕上構造であって、
前記物品の表面に設けられた保持シートと、この保持シートの表面に設けられた仕上シートとを備え、
前記保持シートは、その裏面に前記物品に接着するための接着剤を保持することを特徴とするシート式仕上構造。
【発明の詳細な説明】
【０００１】
【発明の属する技術分野】
本発明は、建物の壁、天井、建具、家具等の物品の表面に設けられる仕上シートの貼り付け方法およびシート式仕上げ構造に関する。
【０００２】
【背景技術】
従来より、建物の間仕切壁については、クロス等の仕上シートや化粧合板を用いて表面を仕上げている。また、天井については、クロス等の仕上シートや化粧合板のほか、ラミネート、ポリフォーム、ロックウールを用いて表面を仕上げている。また、建具については、塗装で表面を仕上げている。
ところで、経年変化や使用に伴う汚損の発生や居住者の希望により、リフォーム作業を行なう場合がある。例えば、表面が仕上シートである場合には、天井や間仕切壁から仕上シートを剥がし、剥がした後の下地面をパテ処理し、再び仕上シートを貼り付けることにより、仕上シートの張替え作業を行う。したがって、多くの工程が必要で、作業時間もかかるという問題があった。
【０００３】
このような問題を解決するために、例えば、複数のシートを積層して形成した仕上シート（以降、多層仕上シートと呼ぶ）が提案されている（例えば、特許文献１参照）。この提案によれば、複数の積層されたシートのうち表面側に露出している表面シートを剥がして、その裏面に貼り付けられた裏打ちシートを表面側に露出させるだけでよいので、新たに表面シートを貼り付ける必要がなくなるから、作業工程の削減や作業時間の短縮が可能となる。
【特許文献１】
実公昭５５−９３５３５号公報
【０００４】
【発明が解決しようとする課題】
しかし、既設の仕上シートの表面に新規の仕上シートを直接貼り付けようとしても、既設の仕上シートが防汚のため表面が円滑な材料で形成されている場合、接着剤が既設の仕上シートの表面上を流れ落ちてしまい、確実に接着することが困難となっていた。
また、表面が化粧合板や塗装等である場合についても、既設の仕上シートと同様に、確実に接着することが困難となっていた。
【０００５】
本発明の目的は、物品の表面に仕上シートを確実に貼り付けることができる仕上シートの貼り付け方法およびシート式仕上構造を提供することにある。
【０００６】
【課題を解決するための手段】
上記目的を達成するため、本発明の仕上シートの貼り付け方法およびシート式仕上構造は、次の構成を採用する。
本発明を図面を参照して説明すると、請求項１に記載の仕上シートの貼り付け方法は、物品の表面に設けられる仕上シートの貼り付け方法であって、物品１の表面に、保持シート１１と新規の仕上シート１２とを積層し、前記保持シートは、その裏面に前記物品に接着するための接着剤を保持することを特徴とする。
ここで、接着剤としては、一般に糊が用いられているが、その他の材料でもよい。
また、物品とは、建物の間仕切壁や天井のほか、家具や建具を含む。
【０００７】
この発明によれば、物品の表面に、仕上シートと保持シートとを積層したので、物品が防汚のため表面が円滑となるような材料で形成されている場合でも、保持シートによって、物品の表面全体に亘って接着剤が均一に塗布された状態を保持できるので、接着剤がその表裏面を伝って流れ落ちるおそれがなく、物品の表面に仕上シートを確実に貼り付けることができる。
【０００８】
請求項２に記載の仕上シートの貼り付け方法は、請求項１に記載の仕上シートの貼り付け方法において、前記物品の表面に前記保持シートを貼り付け、この保持シートの表面に前記仕上シートを貼り付けることを特徴とする。
この発明によれば、物品と保持シートとの接着状態を確認した後に、保持シートの表面に仕上シートを貼り付けることができるから、容易かつ確実に作業を進めることができ、作業効率を向上できる。
【０００９】
請求項３に記載の仕上シートの貼り付け方法は、請求項１または２に記載の仕上シートの貼り付け方法において、前記保持シート裏面に接着剤を塗布して前記物品の表面に貼り付け、前記仕上シート裏面に接着剤を塗布して前記保持シートの表面に貼り付けることを特徴とする。
この発明によれば、保持シートおよび仕上シートの裏面に接着剤を塗布して用いたので、仕上シートの接着剤の塗布作業において一般的に用いられる糊付け機を利用して、保持シートの貼り付け作業および仕上シートの貼り付け作業を行うことができるから、作業効率を向上できる。
【００１０】
請求項４に記載の仕上シートの貼り付け方法は、請求項１から３のいずれかに記載の仕上シートの貼り付け方法において、前記保持シートは、不透明であることを特徴とする。
この発明によれば、保持シートを不透明としたので、例えば、物品の表面に色彩や模様等の装飾が施されていた場合でも、仕上シートの上から物品の表面が透けて見えることがなく、仕上がり状態を良好にすることができる。
【００１１】
請求項５に記載の仕上シートの貼り付け方法は、請求項１から４のいずれかに記載の仕上シートの貼り付け方法において、前記保持シートは、紙製であることを特徴とする。
ここで、紙としては、洋紙が好ましいが、その他和紙等でもよい。
この発明によれば、保持シートを紙製としたので、紙の表面の微細な凹凸によって、接着剤を均一に保持することができ、かつ、保持シートの厚みを抑えることができる。したがって、保持シートを介して物品の表面に仕上シートを確実に貼り付けることができるうえに、保持シート、仕上シートを含む仕上材全体の厚みを薄く抑えることができる。
【００１２】
請求項６に記載の仕上シートの貼り付け方法は、請求項１から５に記載の仕上シートの貼り付け方法において、前記保持シートには、予め室内散布用薬剤が含浸されていることを特徴とする。
この発明によれば、保持シートに予め室内散布用薬剤を含浸させたので、保持シートは物品の表面と仕上シートとの間に介在されているから、含浸された薬剤が一度に発散されずに長期に亘って発散され、薬剤の効果を長期的に維持できる。
【００１３】
請求項７に記載の仕上シートの貼り付け方法は、請求項６に記載の仕上シートの貼り付け方法において、前記室内散布用薬剤は、ＶＯＣ吸着剤、芳香剤および防かび剤のいずれかであることを特徴とする。
ここで、ＶＯＣ吸着剤とは、ホルムアルデヒド等の室内空気を汚染する性質を有する揮発性有機化合物を吸着するものである。
この発明によれば、室内散布用薬剤をＶＯＣ吸着剤、芳香剤および防かび剤のいずれかとしたので、室内環境を良好に維持することができ、長期間快適に建物に居住することができる。
【００１４】
請求項８に記載のシート式仕上構造１０は、物品の表面に設けられたシート式仕上構造であって、前記物品の表面に設けられた保持シートと、この保持シートの表面に設けられた仕上シートとを備え、前記保持シートは、その裏面に前記物品の表面に接着するための接着剤を保持することを特徴とする。
この発明によれば、請求項１と同様に、物品の表面に仕上シートを確実に貼り付けることができる。
【００１５】
【発明の実施の形態】
以下、本発明の実施形態を図面に基づいて説明する。
図１には、本実施形態に係るシート式仕上構造が適用された間仕切壁の全体断面図が示されている。
物品としての間仕切壁１は、建物内に設けられた床面３および天井面４に固定され、木製の枠状に設けられた芯材５と、この芯材５の両面にビス等で固定された石膏ボード等の壁下地材６と、この２つの壁下地材６のうちの一方（図１中右側）の表面に貼り付けられた既設の仕上シート７とを備えている。
【００１６】
既設の仕上シート７は、防汚のため表面が円滑となるような材料で形成され、その表面には、シート式仕上構造１０が設けられている。シート式仕上構造１０は、既設の仕上シート７の表面に設けられた保持シート１１と、この保持シート１１の表面に設けられた仕上シートとしての新規の仕上シート１２とを含んで構成されている。
保持シート１１は、不透明な紙製であって、予め室内散布用薬剤としてＶＯＣ吸着剤が含浸され、その裏面に前記既設の仕上シートに接着するための接着剤が保持されている。
【００１７】
次に、本実施形態に仕上シートの貼り付け方法を図２のフローチャートを参照しながら説明する。
いま、図３（Ａ）に示すように、間仕切壁１が既に設けられている場合を考える。
先ず、間仕切壁１の下地調整を行う（ＳＴ１）。例えば、間仕切壁１の既設の仕上シート７の表面の凹部にパテを埋め、サンドペーパ等で研磨を行う。
続いて、保持シート１１の裏面全面に接着剤を塗布する（ＳＴ２）。例えば、図３（Ｂ）に示すように、糊付け機１３を用いることによって、塗布作業を容易に行うことができる。糊付け機１３は、ロール状に巻かれた保持シート１１をセットしてタンクに接着剤を供給すると、保持シート１１の裏面側に接着剤を塗布しながら、図３（Ｂ）中矢印方向に押し出すものである。
【００１８】
次に、接着剤を塗布してから水分を揮発させるためのオープンタイムとして保持シート１１を所定時間養生した後（ＳＴ３）、図３（Ｃ）に示すように、保持シート１１を既設の仕上シート７の表面に貼り付ける（ＳＴ４）。
次に、新規の仕上シート１２の裏面全面に接着剤を塗布する（ＳＴ５）。例えば、保持シート１１と同様に、図４（Ａ）に示すような糊付け機１３を用いて行う。
次に、保持シート１１と同様に、新規の仕上シート１２をオープンタイムとして所定時間養生した後（ＳＴ６）、図４（Ｂ）に示すように、保持シート１１の表面に貼り付ける（ＳＴ７）。
【００１９】
次に、新規の仕上シート１２のジョイント処理を行う（ＳＴ８）。すなわち、新規の仕上シート１２をカッタで切断することにより、床面３、天井面４、および互いに隣接する新規の仕上シート１２とのジョイント部分を突き付け施工する。
その後、新規の仕上シート１２を所定時間養生し、保持シート１１に十分馴染ませる。
【００２０】
したがって、本実施形態によれば以下の効果がある。
（１）間仕切壁１の既設の仕上シート７の表面に、新規の仕上シート１２と保持シート１１とを積層したので、保持シート１１によって、既設の仕上シート７の表面全体に亘って接着剤が均一に塗布された状態を保持できるので、接着剤がその表裏面を伝って流れ落ちるおそれがなく、間仕切壁１の表面に新規の仕上シート１２を確実に貼り付けることができる。
【００２１】
（２）間仕切壁１の既設の仕上シート７と保持シート１１との接着状態を確認した後に、保持シート１１の表面に新規の仕上シート１２を貼り付けることができるから、容易かつ確実に作業を進めることができ、作業効率を向上できる。
【００２２】
（３）保持シート１１および新規の仕上シート１２の裏面に接着剤を塗布して用いたので、仕上シートの接着剤の塗布作業において一般的に用いられる糊付け機１３を利用して、保持シート１１の貼り付け作業および新規の仕上シート１２の貼り付け作業を行うことができるから、作業効率を向上できる。
【００２３】
（４）保持シート１１を不透明としたので、例えば、間仕切壁１の既設の仕上シート７に色彩や模様等の装飾が施されていた場合でも、新規の仕上シート１２の上から既設の仕上シート７が透けて見えることがなく、仕上がり状態を良好にすることができる。
【００２４】
（５）保持シート１１を紙製としたので、紙の表面の微細な凹凸によって、接着剤を均一に保持することができ、かつ、保持シート１１の厚みを抑えることができる。したがって、保持シート１１を介して既設の仕上シート７の表面に新規の仕上シート１２を確実に貼り付けることができるうえに、保持シート１１、新規の仕上シート１２を含む仕上材全体の厚みを薄く抑えることができる。
【００２５】
（６）保持シート１１に予め室内散布用薬剤を含浸させたので、保持シート１１は間仕切壁１の既設の仕上シート７と新規の仕上シート１２との間に介在されているから、含浸された薬剤が一度に発散されずに長期に亘って発散され、薬剤の効果を長期的に維持できる。
【００２６】
（７）室内散布用薬剤をＶＯＣ吸着剤、芳香剤および防かび剤のいずれかとしたので、室内環境を良好に維持することができ、長期間快適に建物に居住することができる。
【００２７】
なお、本発明は前記実施形態に限定されるものではなく、本発明の目的を達成できる範囲での変形、改良等は本発明に含まれるものである。
例えば、本実施形態では、既設の仕上シート７の表面に保持シート１１を貼り、この保持シート１１の表面に新規の仕上シート１２を貼り付けたが、これに限らず、工場等において、新規の仕上シートを保持シートの表面に貼り付け、これを現場に運搬して、既設の仕上シートの表面に貼り付けてもよい。
また、表裏面に接着剤を塗布した保持シートを既設の仕上シート７の表面に貼り付け、この表面に新規の仕上シートを貼り付けてもよい。
また、本実施形態では、保持シート１１を紙製としたが、これに限らず、不織布等でもよい。
また、本実施形態では、シート式仕上構造１０を間仕切壁１に設けたが、これに限らず、天井、家具、建具等の物品に設けてもよい。また、これら物品の表面の材質については、仕上シートに限らず、化粧合板、ラミネート、ポリフォーム、ロックウール、塗装等で仕上げてもよい。
【００２８】
【発明の効果】
本発明の仕上シートの貼り付け方法およびシート式仕上構造によれば、次のような効果が得られる。
請求項１に記載の仕上シートの貼り付け方法によれば、物品の表面に、仕上シートと保持シートとを積層したので、物品が防汚のため表面が円滑となるような材料で形成されている場合でも、保持シートによって、物品の表面全体に亘って接着剤が均一に塗布された状態を保持できるので、接着剤がその表裏面を伝って流れ落ちるおそれがなく、物品の表面に仕上シートを確実に貼り付けることができる。
【００２９】
請求項２に記載の仕上シートの貼り付け方法によれば、物品と保持シートとの接着状態を確認した後に、保持シートの表面に仕上シートを貼り付けることができるから、容易かつ確実に作業を進めることができ、作業効率を向上できる。
【００３０】
請求項３に記載の仕上シートの貼り付け方法によれば、保持シートおよび仕上シートの裏面に接着剤を塗布して用いたので、仕上シートの接着剤の塗布作業において一般的に用いられる糊付け機を利用して、保持シートの貼り付け作業および仕上シートの貼り付け作業を行うことができるから、作業効率を向上できる。
【００３１】
請求項４に記載の仕上シートの貼り付け方法によれば、保持シートを不透明としたので、例えば、物品の表面に色彩や模様等の装飾が施されていた場合でも、仕上シートの上から物品の表面が透けて見えることがなく、仕上がり状態を良好にすることができる。
【００３２】
請求項５に記載の仕上シートの貼り付け方法によれば、保持シートを紙製としたので、紙の表面の微細な凹凸によって、接着剤を均一に保持することができ、かつ、保持シートの厚みを抑えることができる。したがって、保持シートを介して物品の表面に仕上シートを確実に貼り付けることができるうえに、保持シート、仕上シートを含む仕上材全体の厚みを薄く抑えることができる。
【００３３】
請求項６に記載の仕上シートの貼り付け方法によれば、保持シートに予め室内散布用薬剤を含浸させたので、保持シートは物品の表面と仕上シートとの間に介在されているから、含浸された薬剤が一度に発散されずに長期に亘って発散され、薬剤の効果を長期的に維持できる。
【００３４】
請求項７に記載の仕上シートの貼り付け方法によれば、室内散布用薬剤をＶＯＣ吸着剤、芳香剤および防かび剤のいずれかとしたので、室内環境を良好に維持することができ、長期間快適に建物に居住することができる。
【００３５】
請求項８に記載のシート式仕上構造によれば、請求項１と同様に、物品の表面に仕上シートを確実に貼り付けることができる。
【図面の簡単な説明】
【図１】本発明の一実施形態に係るシート式仕上構造が適用された間仕切壁を示す全体断面図である。
【図２】前記実施形態に係る仕上シートの貼り付け方法のフローチャートである。
【図３】前記実施形態に係る仕上シートの貼り付け方法を説明するための図である。
【図４】前記実施形態に係る仕上シートの貼り付け方法を説明するための図である。
【符号の説明】
７　　　既設の仕上シート
１０　　　シート式仕上構造
１１　　　保持シート
１２　　　新規の仕上シート
【図１】
2004137708.tif 000003
【図２】
2004137708.tif 000004
【図３】
2004137708.tif 000005
【図４】
2004137708.tif 000006